【手続補正書】
【提出日】平成29年8月22日(2017.8.22)
【手続補正１】
【補正対象書類名】明細書
【補正対象項目名】００１５
【補正方法】変更
【補正の内容】
【００１５】
本発明に係る電子機器は、機器本体と、前記機器本体に対して回転自在に支持される構造体と、を備える電子機器であって、前記機器本体に支持されて前記構造体の回転中心に配置されるシャフトと、前記シャフトの外周面に巻き付けられて保持されるフレキシブル配線基板と、前記フレキシブル配線基板を前記シャフトに巻き付けるために前記フレキシブル配線基板に貼り合わせられる接合部材と、を有し、前記フレキシブル配線基板は、前記接合部材を介して前記シャフトに巻き付けられる巻回部と、前記巻回部から延出し、前記機器本体に接続される第１の配線部と、前記巻回部から前記第１の配線部が延出する方向と平行に前記第１の配線部と所定の間隔を空けて延出し、前記構造体に接続される第２の配線部と、を有し、前記接合部材は、前記巻回部を包含し、且つ、前記巻回部から前記第１の配線部と前記第２の配線部の間の間隙部に延出することなく前記第１の配線部および前記第２の配線部のそれぞれへ所定の長さだけ延出した形状を有することを特徴とする。
【手続補正２】
【補正対象書類名】明細書
【補正対象項目名】００２６
【補正方法】変更
【補正の内容】
【００２６】
ＦＰＣ５４は、シャフト５１に対してその一部を巻回して保持されており、巻回部分は挿通部１０ｂを介して本体１０側と表示ユニット５０側とに延出している。図３は、ＦＰＣ５４の展開図である。ＦＰＣ５４は、略コの字型の平面形状を有し、大略的に、巻回部５４ｂと、巻回部５４ｂから延出する第１の配線部である本体側配線部５４ａと、巻回部５４ｂから延出する第２の配線部である表示ユニット側配線部５４ｃから構成されている。換言すれば、ＦＰＣ５４は、本体側配線部５４ａと表示ユニット側配線部５４ｃとが所定の間隔を空けて略平行に配置され、巻回部５４ｂが、本体側配線部５４ａと表示ユニット側配線部５４ｃとを接続する接続部としての役割を担っている。ＦＰＣ５４の配線パターンは、巻回部５４ｂに形成される導体接続部５４ｄを介して本体側配線部５４ａの先端から表示ユニット側配線部５４ｃの先端まで延びている。巻回部５４ｂには、接合部材としての略コの字型の平面形状を有する両面テープ５５が貼り合わされている。
【手続補正３】
【補正対象書類名】明細書
【補正対象項目名】００３４
【補正方法】変更
【補正の内容】
【００３４】
これに対して、本実施形態では、両面テープ５５を、本体側配線部５４ａ側に長さＬａだけ延出した形状に設定している（図３参照）。そのため、本体側配線部５４ａは、巻回部５４ｂと本体側配線部５４ａとの境界から長さＬａ分だけ両面テープ５５を介してシャフト５１に巻き付いている。つまり、湾曲部５４ｗ１側の両面テープ５５の端面と内角部５４ｒ１とは、長さＬａだけ離れている。そのため、仮に、湾曲部５４ｗ１に作用する反発力によって巻き付けていたＦＰＣ５４の一部が剥がれても、直ちに本体側配線部５４ａと表示ユニット側配線部５４ｃとの間に形成されている幅Ｗ５の配線部がシャフト５１に対して剥がれることはない。
【手続補正４】
【補正対象書類名】明細書
【補正対象項目名】００３６
【補正方法】変更
【補正の内容】
【００３６】
湾曲部５４ｗ２には、撓みによる反発力が生じ、この反発力は両面テープ５５によって巻き付けられた状態から剥離する方向に作用する。しかし、本実施形態では、両面テープ５５を、表示ユニット側配線部５４ｃ側に長さＬｃだけ延出した形状に設定している（図３参照）。よって、表示ユニット側配線部５４ｃは、巻回部５４ｂと表示ユニット側配線部５４ｃとの境界から長さＬｃ分だけ両面テープ５５を介してシャフト５１に巻き付いている。つまり、湾曲部５４ｗ２側の両面テープ５５の端面と内角部５４ｒ２とは、長さＬｃだけ離れている。そのため、仮に、湾曲部５４ｗ２に作用する反発力によって巻き付けていたＦＰＣ５４の一部が剥がれても、直ちに本体側配線部５４ａと表示ユニット側配線部５４ｃとの間に形成されている幅Ｗ５の配線部がシャフト５１に対して剥がれることはない。
【手続補正５】
【補正対象書類名】明細書
【補正対象項目名】００４５
【補正方法】変更
【補正の内容】
【００４５】
本体側配線部７４ａと表示ユニット側配線部７４ｃとの間には、長さＷ７の間隔が設けられている。巻回部７４ｂと本体側配線部７４ａとがつながっている部位の内側と、巻回部７４ｂと表示ユニット側配線部７４ｃとがつながっている部位の内側のそれぞれに、内角部７４ｒ１，７４ｒ２が形成されている。また、ＦＰＣ７４には、内角部７４ｒ１，７４ｒ２との間において導体接続部７４ｄから本体側配線部７４ａと表示ユニット側配線部７４ｃとの間の空間へと突出する、幅Ｗ８を有する舌片部７４ｔが形成されている。舌片部７４ｔには、カバーレイを開口させたカバーレイ開口部７４ｓが形成されている。なお、本実施形態では、舌片部７４ｔ全体をカバーレイ開口部７４ｓとして形成しているが、カバーレイ開口部７４ｓは、舌片部７４ｔの一部に形成されていてもよい。
【手続補正６】
【補正対象書類名】明細書
【補正対象項目名】００５１
【補正方法】変更
【補正の内容】
【００５１】
例えば、第１実施形態において、両面テープ５５が本体側配線部５４ａと表示ユニット側配線部５４ｃのそれぞれへ延出している部位の端面は、シャフト５１に対して平行に、つまり、シャフト５１のスラスト方向と平行にカットされている。但し、必ずしもシャフト５１に対して平行にカットする必要はなく、両面テープ５５の端面をシャフト５１に対して所定の角度をもたせてカットしてもよい。また、第２実施形態では、カバーレイ開口部６４ｓを、巻回部６４ｂにおいて、本体側配線部６４ａ、表示ユニット側配線部６４ｃ及び導体接続部６４ｄによって囲まれる幅Ｗ６の領域全体に設けたが、この領域の少なくとも一部に設けた構成としてもよい。更に、第３実施形態では、舌片部７４ｔを１カ所のみに設けたが、複数の舌片部７４ｔは、内角部７４ｒ１，７４ｒ２との間において導体接続部７４ｄの複数箇所から本体側配線部７４ａと表示ユニット側配線部７４ｃとの間の空間へと突出するように設けてもよい。
【手続補正７】
【補正対象書類名】特許請求の範囲
【補正対象項目名】全文
【補正方法】変更
【補正の内容】
【特許請求の範囲】
【請求項１】
機器本体と、前記機器本体に対して回転自在に支持される構造体と、を備える電子機器であって、
前記機器本体に支持されて前記構造体の回転中心に配置されるシャフトと、
前記シャフトの外周面に巻き付けられて保持されるフレキシブル配線基板と、
前記フレキシブル配線基板を前記シャフトに巻き付けるために前記フレキシブル配線基板に貼り合わせられる接合部材と、を有し、
前記フレキシブル配線基板は、
前記接合部材を介して前記シャフトに巻き付けられる巻回部と、
前記巻回部から延出し、前記機器本体に接続される第１の配線部と、
前記巻回部から前記第１の配線部が延出する方向と平行に前記第１の配線部と所定の間隔を空けて延出し、前記構造体に接続される第２の配線部と、を有し、
前記接合部材は、前記巻回部を包含し、且つ、前記巻回部から前記第１の配線部と前記第２の配線部の間の間隙部に延出することなく前記第１の配線部および前記第２の配線部のそれぞれへ所定の長さだけ延出した形状を有することを特徴とする電子機器。
【請求項２】
前記フレキシブル配線基板の前記巻回部は、
前記第１の配線部と前記第２の配線部とを接続する導体接続部と、
前記第１の配線部、前記第２の配線部および前記導体接続部によって囲まれる領域の少なくとも一部に設けられた、カバーレイを開口させたカバーレイ開口部と、を有することを特徴とする請求項１に記載の電子機器。
【請求項３】
機器本体と、前記機器本体に対して回転自在に支持される構造体と、を備える電子機器であって、
前記機器本体に支持されて前記構造体の回転中心に配置されるシャフトと、
前記シャフトの外周面に巻き付けられて保持されるフレキシブル配線基板と、
前記フレキシブル配線基板を前記シャフトに巻き付けるために前記フレキシブル配線基板に貼り合わせられる接合部材と、を有し、
前記フレキシブル配線基板は、
前記接合部材を介して前記シャフトに巻き付けられる巻回部と、
前記巻回部から延出し、前記機器本体に接続される第１の配線部と、
前記巻回部から前記第１の配線部が延出する方向と平行に前記第１の配線部と所定の間隔を空けて延出し、前記構造体に接続される第２の配線部と、
前記第１の配線部と前記第２の配線部との間において前記巻回部から前記第１の配線部と前記第２の配線部の間の間隙部へ突出する舌片部と、を有し、
前記接合部材は、前記巻回部と前記舌片部を包含し、且つ、前記間隙部に前記舌片部を除いて前記巻回部から延出することなく前記第１の配線部および前記第２の配線部のそれぞれへ所定の長さだけ延出した形状を有することを特徴とする電子機器。
【請求項４】
前記舌片部の少なくとも一部は、カバーレイを開口させたカバーレイ開口部を有することを特徴とする請求項３に記載の電子機器。
【請求項５】
前記舌片部が複数設けられていることを特徴とする請求項３又は４に記載の電子機器。
【請求項６】
接合部材が貼り合わされたフレキシブル配線基板であって、
第１の配線部と、
前記第１の配線部と所定の間隔を空けて平行に配置された第２の配線部と、
前記第１の配線部と前記第２の配線部とを接続する導体接続部を有する接続部と、を有し、
前記接合部材は、前記接続部を包含し、且つ、前記接続部から前記第１の配線部と前記第２の配線部の間の間隙部へ延出することなく前記第１の配線部および前記第２の配線部のそれぞれへ所定の長さだけ延出した形状を有することを特徴とするフレキシブル配線基板。
【請求項７】
接合部材が貼り合わされたフレキシブル配線基板であって、
第１の配線部と、
前記第１の配線部と所定の間隔を空けて平行に配置された第２の配線部と、
前記第１の配線部と前記第２の配線部とを接続する導体接続部を有する接続部と、
前記接続部から前記第１の配線部と前記第２の配線部との間の間隙部へ延出する舌片部と、を有し、
前記接合部材は、前記接続部と前記舌片部を包含し、且つ、前記間隙部へ前記舌片部を除いて前記接続部から延出することなく前記第１の配線部および前記第２の配線部のそれぞれへ所定の長さだけ延出した形状を有することを特徴とするフレキシブル配線基板。